(57)【要約】【課題】少ない人材で効率的に試験を実施することができ、且つ試験の採点を公平な基準で迅速に行うことができるオンライン試験システムを提供する。【解決手段】このオンライン試験システム１０は、ネットワーク２００を介して受験者が使用する端末１２に問題コンテンツデータを配信する。端末１２を用いて問題コンテンツデータの内容を確認し解答コンテンツデータを作成する。解答コンテンツデータは集信され解答コンテンツデータと問題コンテンツデータの解答データとに基づいて採点処理が行われ採点コンテンツデータを作成する。【選択図】図１
2006252585.tif 000002
【特許請求の範囲】
【請求項１】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介してサーバから配信された問題コンテンツデータに対応して入力された解答に基づいて、解答コンテンツデータを作成する解答コンテンツデータ作成手段を備え、
前記サーバは、
抽出された受験者の個人情報及び受験者が受験する試験を特定するための情報を記憶する手段と、
受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する試験コンテンツデータ配信手段と、
受験端末で作成された解答コンテンツデータを、ネットワークを介して受験端末から集信する解答コンテンツデータ集信手段と、
前記集信した解答コンテンツデータを、ネットワークを介して採点のために配信する解答コンテンツデータ配信手段と、
受験者データベースに記憶されている全受験者の氏名，住所，電子メールアドレス等の個人情報と、受験する試験の種類を特定する情報とを、演算処理して受験者及び試験の種類を特定する手段とを備え、
前記試験管理サーバは、
試験管理をするサーバであって、
試験コンテンツデータベースに記憶されている試験コンテンツデータを、前記試験の種類の条件に基いて、演算処理して受験端末に配信する試験コンテンツデータを抽出する試験コンテンツデータ抽出手段と、
試験コンテンツデータを、ネットワークを介して受験端末に配信する前記試験コンテンツデータ配信手段と、
サーバにより作成された採点コンテンツデータを受験者に提供する採点コンテンツデータ配信手段とを備え、
前記採点サーバは、
採点をするサーバであって、
ネットワークを介して受験端末から集信した、画像データを含む解答コンテンツデータを表示する解答コンテンツデータ表示手段と、
前記画像データを含む解答コンテンツデータと、前記試験コンテンツデータの画像データを含む解答データとに基づいて採点処理が行われ、取得された採点結果によって採点コンテンツデータを作成する採点コンテンツデータ作成手段とを備える、
オンライン試験システム。
【請求項２】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介して受験会場サーバから配信された問題コンテンツデータに対応して入力された解答に基づいて、解答コンテンツデータを作成する解答コンテンツデータ作成手段を備え、
前記受験会場サーバは、
受験会場毎に設置され、
ネットワークを介して、受験端末と、試験管理サーバ及び／又は採点サーバと接続され、
受験会場毎に抽出された受験者の個人情報及び受験会場で実施される受験者が受験する試験を特定するための情報を記憶する手段と、
受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、
受験端末で作成された解答コンテンツデータを、ネットワークを介して受験端末から集信する解答コンテンツデータ集信手段と、
前記集信した解答コンテンツデータを、ネットワークを介して採点サーバに配信する解答コンテンツデータ配信手段とを備え、
前記試験管理サーバは、
受験者データベースに記憶されている全受験者の氏名，住所，電子メールアドレス等の個人情報と、受験する試験の種類を特定する情報とを、演算処理して受験者及び試験の種類を特定する手段と、
試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、
試験コンテンツデータを、ネットワークを介して受験会場サーバに配信する試験コンテンツデータ配信手段と、
採点サーバにより作成された採点コンテンツデータを受験者に提供する採点コンテンツデータ配信手段とを備え、
前記採点サーバは、
ネットワークを介して受験会場サーバから集信した、画像データを含む解答コンテンツデータと、前記試験コンテンツデータの画像データを含む解答データとに基づいて採点処理が行なわれ、取得された採点結果によって採点コンテンツデータを作成する採点コンテンツデータ作成手段とを備える、
オンライン試験システム。
【請求項３】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介してサーバから配信された問題コンテンツデータに対応して発声された解答内容を入力する発声解答内容入力手段と、前記入力した解答内容を音声データとして記録して解答コンテンツデータを作成する解答コンテンツデータ作成手段とを備え、
前記サーバは、
抽出された受験者の個人情報及び受験者が受験する試験を特定するための情報を記憶する手段と、
受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する試験コンテンツデータ配信手段と、
受験端末で作成された音声データを含む解答コンテンツデータを、ネットワークを介して受験端末から集信する解答コンテンツデータ集信手段と、
前記集信した解答コンテンツデータを、ネットワークを介して採点のために配信する解答コンテンツデータ配信手段と、
受験者データベースに記憶されている全受験者の氏名，住所，電子メールアドレス等の個人情報と、受験する試験の種類を特定する情報とを、演算処理して受験者及び試験の種類を特定する手段とを備え、
前記試験管理サーバは、
試験管理をするサーバであって、
試験コンテンツデータベースに記憶されている試験コンテンツデータを、前記試験の種類の条件に基いて、演算処理して受験端末に配信する試験コンテンツデータを抽出する試験コンテンツデータ抽出手段と、
試験コンテンツデータを、ネットワークを介して受験端末に配信する前記試験コンテンツデータ配信手段と、
サーバにより作成された採点コンテンツデータを受験者に提供する採点コンテンツデータ配信手段とを備え、
前記採点サーバは、
採点をするサーバであって、
ネットワークを介して受験端末から集信した前記解答コンテンツデータを表示・再生する表示・再生手段と、
ネットワークを介して受験端末から集信した音声データを含む解答コンテンツデータと、前記試験コンテンツデータの解答データとに基づいて採点処理が行われ、取得された採点結果によって採点コンテンツデータを作成する採点コンテンツデータ作成手段とを備える、
オンライン試験システム。
【請求項４】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介して受験会場サーバから配信された問題コンテンツデータに対応して発声された解答内容を入力する発声解答内容入力手段と、前記入力した解答内容を音声データとして記録して解答コンテンツデータを作成する解答コンテンツデータ作成手段とを備え、
前記受験会場サーバは、
受験会場毎に設置され、
ネットワークを介して、受験端末と、試験管理サーバ及び／又は採点サーバと接続され、
受験会場毎に抽出された受験者の個人情報及び受験会場で実施される受験者が受験する試験を特定するための情報を記憶する手段と、
受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、
受験端末で作成された音声データを含む解答コンテンツデータを、ネットワークを介して受験端末から集信する解答コンテンツデータ集信手段と、
前記集信した解答コンテンツデータを、ネットワークを介して採点サーバに配信する解答コンテンツデータ配信手段とを備え、
前記試験管理サーバは、
受験者データベースに記憶されている全受験者の氏名，住所，電子メールアドレス等の個人情報と、受験する試験の種類を特定する情報とを、演算処理して受験者及び試験の種類を特定する手段と、
試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、
試験コンテンツデータを、ネットワークを介して受験会場サーバに配信する試験コンテンツデータ配信手段と、
採点サーバにより作成された採点コンテンツデータを受験者に提供する採点コンテンツデータ配信手段とを備え、
前記採点サーバは、
ネットワークを介して受験端末から集信した前記解答コンテンツデータを表示・再生する表示・再生手段と、
ネットワークを介して受験端末から集信した音声データを含む解答コンテンツデータと、前記試験コンテンツデータの解答データとに基づいて採点処理が行われ、取得された採点結果によって採点コンテンツデータを作成する採点コンテンツデータ作成手段とを備える、
オンライン試験システム。
【請求項５】
受験会場サーバ、試験管理サーバ及び採点サーバを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介してサーバから配信された問題コンテンツデータに対応して解答した状況を撮像する解答状況撮像手段と、前記撮像した内容を動画データとして記録して解答コンテンツデータを作成する解答コンテンツデータ作成手段とを備え、
前記サーバは、
抽出された受験者の個人情報及び受験者が受験する試験を特定するための情報を記憶する手段と、
受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する試験コンテンツデータ配信手段と、
受験端末で作成された動画を含む解答コンテンツデータを、ネットワークを介して受験端末から集信する解答コンテンツデータ集信手段と、
前記集信した解答コンテンツデータを、ネットワークを介して採点のために配信する解答コンテンツデータ配信手段と、
受験者データベースに記憶されている全受験者の氏名，住所，電子メールアドレス等の個人情報と、受験する試験の種類を特定する情報とを、演算処理して受験者及び試験の種類を特定する手段とを備え、
前記試験管理サーバは、
試験管理をするサーバであって、
試験コンテンツデータベースに記憶されている試験コンテンツデータを、前記試験の種類の条件に基いて、演算処理して受験端末に配信する試験コンテンツデータを抽出する試験コンテンツデータ抽出手段と、
試験コンテンツデータを、ネットワークを介して受験端末に配信する前記試験コンテンツデータ配信手段と、
サーバにより作成された採点コンテンツデータを受験者に提供する採点コンテンツデータ配信手段とを備え、
前記採点サーバは、
採点をするサーバであって、
ネットワークを介して受験端末から集信した前記解答コンテンツデータを表示・再生する解答コンテンツデータ表示・再生手段と、
ネットワークを介して受験端末から集信した動画を含む解答コンテンツデータと、前記解答コンテンツデータの解答データとに基づいて採点処理が行なわれ、取得された採点結果によって採点コンテンツデータを作成する採点コンテンツデータ作成手段とを備える、
オンライン試験システム。
【請求項６】
受験会場サーバと試験管理サーバと採点サーバとを有するサーバと、サーバにネットワークを介して接続された受験端末とを含む、オンライン試験システムであって、
前記受験端末は、
受験者数に応じて複数設置され且つ受験会場毎に設置された受験会場サーバに接続され、
ネットワークを介して受験会場サーバから配信された問題コンテンツデータに対応して解答した状況を撮像する解答状況撮像手段と、前記撮像した内容を動画データとして記録して解答コンテンツデータを作成する解答コンテンツデータ作成手段とを備え、
前記受験会場サーバは、
受験会場毎に設置され、
ネットワークを介して、受験端末と、試験管理サーバ及び／又は採点サーバと接続され、
受験会場毎に抽出された受験者の個人情報及び受験会場で実施される受験者が受験する試験を特定するための情報を記憶する手段と、
受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、
受験端末で作成された動画を含む解答コンテンツデータを、ネットワークを介して受験端末から集信する解答コンテンツデータ集信手段と、
前記集信した解答コンテンツデータを、ネットワークを介して採点サーバに配信する解答コンテンツデータ配信手段とを備え、
前記試験管理サーバは、
受験者データベースに記憶されている全受験者の氏名，住所，電子メールアドレス等の個人情報と、受験する試験の種類を特定する情報とを、演算処理して受験者及び試験の種類を特定する手段と、
試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、
試験コンテンツデータを、ネットワークを介して受験会場サーバに配信する試験コンテンツデータ配信手段と、
採点サーバにより作成された採点コンテンツデータを受験者に提供する採点コンテンツデータ配信手段とを備え、
前記採点サーバは、
ネットワークを介して受験端末から集信した前記解答コンテンツデータを表示・再生する解答コンテンツデータ表示・再生手段と、
ネットワークを介して受験端末から集信した動画を含む解答コンテンツデータと、前記解答コンテンツデータの解答データとに基づいて採点処理が行なわれ、取得された採点結果によって採点コンテンツデータを作成する採点コンテンツデータ作成手段とを備える、
オンライン試験システム。
【請求項７】
受験会場サーバは、
受験会場毎に抽出された受験者の個人情報及び受験会場で実施される受験者が受験する試験を特定するための情報を、会場用受験者データベースとして記憶する手段と、
受験端末から受験者により入力される受験票に記載されている情報に基いて、前記記憶する手段により記憶された会場用受験者データを演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、
受験端末で作成された解答コンテンツデータを、ネットワークを介して受験端末から集信する解答コンテンツデータ集信手段とを備えた、
請求項１ないし請求項６に記載のオンライン試験システム。
【請求項８】
前記解答コンテンツデータ作成手段は、
前記問題コンテンツデータ内に含まれている解答選択肢を選択・入力する入力手段と、
前記入力手段により入力された内容をＯＭＲによる処理が可能な画像データとして保存する画像データ保存手段とを有し、
前記採点コンテンツデータ作成手段は、
前記保存された画像データから、ＯＭＲによる処理により前記入力された内容を読み取る機能と、前記読み取られ入力された内容と前記試験コンテンツデータに対応する解答データとに基づいて採点処理を行う機能とを有する、請求項１ないし７のいずれかに記載のオンライン試験システム。
【請求項９】
前記解答コンテンツデータ作成手段は、
解答を示す文字や記号等を手書きにより入力する入力手段と、
前記入力手段により入力された内容をＯＣＲによる処理が可能な画像データとして保存する画像データ保存手段とを有し、
前記採点コンテンツデータ作成手段は、
前記保存された画像データから、ＯＣＲによる処理により前記入力された内容を読み取る機能と、前記読み取られ入力された内容と前記試験コンテンツデータに対応する解答データとに基づいて採点処理を行う機能とを有する、請求項１ないし７のいずれかに記載のオンライン試験システム。
【請求項１０】
前記採点コンテンツデータ作成手段は、電子メールで配信可能なデータを作成するデータ作成手段及び／又は受験した試験に合格したことを証明する書類を印刷することができる印刷データを作成する印刷データ作成手段を含み、
入力された試験管理サーバの受験者データベースを検索・抽出して、受験者のメールアドレスを検索するメールアドレス検索手段と、
前記採点コンテンツデータを前記受験者の電子メールアドレスに送信する電子メールアドレス送信手段とを有する、請求項１ないし請求項９のいずれかに記載のオンライン試験システム。
【発明の詳細な説明】
【技術分野】
【０００１】
この発明はオンライン試験システムに関し、特にたとえば、ネットワークを介して迅速に採点処理および試験結果発表を行うことができるオンライン試験システムに関する。
【背景技術】
【０００２】
従来、各種資格試験や入学試験などは、受験者が所定の受験手続きを行った後に指定された日時に試験会場へ出掛け、記述式試験の場合には問題用紙に記された問題に対する解答を解答用紙に記入し、また、論述式（口頭）試験の場合には試験官に問われた質問に対して口頭で答えることにより試験が実施されていた。そして、試験結果の採点は、記述式試験の場合には採点者が模範解答等を参照しながら解答用紙に記された解答に対する採点を行い、論述式試験の場合には受験者が口頭で答えた内容に対する評価を試験官がチェックシート等に記録することで行っていた。そして、試験結果の通知については、試験実施者から合格通知書等の試験結果を通知する書類を受験者に送付することで行っていた。
【発明の開示】
【発明が解決しようとする課題】
【０００３】
しかしながら、従来の方法で多数の受験者の採点を行うのには、非常に多くの時間を要し非常に効率が悪かった。そのため、受験者に対しては結果発表までに多くのストレスを与える結果となっていた。
【０００４】
また、記述式試験の採点については、採点者が模範解答を参照しながら採点を行っていたが、採点者により採点基準が異なるため受験者に不公平な採点結果となっていた。
【０００５】
さらに、論述試験を実施する場合には、口頭での解答より試験の合否判定を行うことができる知識を有する人材を各試験会場に試験官として派遣しなければならないため、同時に多数の会場で試験を実施することができず、さらに同時に多数の受験者について試験を実施することもできなかった。
【０００６】
それゆえ、この発明の目的は、少ない人材で効率的に試験を実施することができ、且つ試験の採点を公平な基準で迅速に行うことができるオンライン試験システムを提供することである。
【課題を解決するための手段】
【０００７】
この発明は、受験会場サーバ、試験管理サーバ及び採点サーバを有するサーバと、サーバにネットワークを介して接続された受験端末とを含む、オンライン試験システムであって、前記受験端末は、受験者数に応じて複数設置され且つ受験会場毎に設置された受験会場サーバに接続され、ネットワークを介してサーバから配信された問題コンテンツデータに対応して入力された解答に基づいて、解答コンテンツデータを作成する解答コンテンツデータ作成手段を備え、前記サーバは、抽出された受験者の個人情報及び受験者が受験する試験を特定するための情報を記憶する手段と、受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する試験コンテンツデータ配信手段と、受験端末で作成された解答コンテンツデータを、ネットワークを介して受験端末から集信する解答コンテンツデータ集信手段と、前記集信した解答コンテンツデータを、ネットワークを介して採点のために配信する解答コンテンツデータ配信手段と、受験者データベースに記憶されている全受験者の氏名，住所，電子メールアドレス等の個人情報と、受験する試験の種類を特定する情報とを、演算処理して受験者及び試験の種類を特定する手段とを備え、前記試験管理サーバは、試験管理をするサーバであって、試験コンテンツデータベースに記憶されている試験コンテンツデータを、前記試験の種類の条件に基いて、演算処理して受験端末に配信する試験コンテンツデータを抽出する試験コンテンツデータ抽出手段と、試験コンテンツデータを、ネットワークを介して受験端末に配信する前記試験コンテンツデータ配信手段と、サーバにより作成された採点コンテンツデータを受験者に提供する採点コンテンツデータ配信手段とを備え、前記採点サーバは、採点をするサーバであって、ネットワークを介して受験端末から集信した、画像データを含む解答コンテンツデータを表示する解答コンテンツデータ表示手段と、前記画像データを含む解答コンテンツデータと、前記試験コンテンツデータの画像データを含む解答データとに基づいて採点処理が行われ、取得された採点結果によって採点コンテンツデータを作成する採点コンテンツデータ作成手段とを備える、オンライン試験システムである。この場合には、解答内容がデータとして記録され、解答内容が迅速に回収され採点される。
【０００８】
また、この発明においては、受験会場サーバ、試験管理サーバ及び採点サーバを有するサーバと、サーバにネットワークを介して接続された受験端末とを含む、オンライン試験システムであって、前記受験端末は、受験者数に応じて複数設置され且つ受験会場毎に設置された受験会場サーバに接続され、ネットワークを介して受験会場サーバから配信された問題コンテンツデータに対応して入力された解答に基づいて、解答コンテンツデータを作成する解答コンテンツデータ作成手段を備え、前記受験会場サーバは、受験会場毎に設置され、ネットワークを介して、受験端末と、試験管理サーバ及び／又は採点サーバと接続され、受験会場毎に抽出された受験者の個人情報及び受験会場で実施される受験者が受験する試験を特定するための情報を記憶する手段と、受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、受験端末で作成された解答コンテンツデータを、ネットワークを介して受験端末から集信する解答コンテンツデータ集信手段と、前記集信した解答コンテンツデータを、ネットワークを介して採点サーバに配信する解答コンテンツデータ配信手段とを備え、前記試験管理サーバは、受験者データベースに記憶されている全受験者の氏名，住所，電子メールアドレス等の個人情報と、受験する試験の種類を特定する情報とを、演算処理して受験者及び試験の種類を特定する手段と、試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、試験コンテンツデータを、ネットワークを介して受験会場サーバに配信する試験コンテンツデータ配信手段と、採点サーバにより作成された採点コンテンツデータを受験者に提供する採点コンテンツデータ配信手段とを備え、前記採点サーバは、ネットワークを介して受験会場サーバから集信した、画像データを含む解答コンテンツデータと、前記試験コンテンツデータの画像データを含む解答データとに基づいて採点処理が行なわれ、取得された採点結果によって採点コンテンツデータを作成する採点コンテンツデータ作成手段を有してもよい。この場合には、解答内容がデータとして記録され、解答内容が迅速に回収され採点される。
【０００９】
また、この発明においては、受験会場サーバ、試験管理サーバ及び採点サーバを有するサーバと、サーバにネットワークを介して接続された受験端末とを含む、オンライン試験システムであって、前記受験端末は、受験者数に応じて複数設置され且つ受験会場毎に設置された受験会場サーバに接続され、ネットワークを介してサーバから配信された問題コンテンツデータに対応して発声された解答内容を入力する発声解答内容入力手段と、前記入力した解答内容を音声データとして記録して解答コンテンツデータを作成する解答コンテンツデータ作成手段とを備え、前記サーバは、抽出された受験者の個人情報及び受験者が受験する試験を特定するための情報を記憶する手段と、受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する試験コンテンツデータ配信手段と、受験端末で作成された音声データを含む解答コンテンツデータを、ネットワークを介して受験端末から集信する解答コンテンツデータ集信手段と、前記集信した解答コンテンツデータを、ネットワークを介して採点のために配信する解答コンテンツデータ配信手段と、受験者データベースに記憶されている全受験者の氏名，住所，電子メールアドレス等の個人情報と、受験する試験の種類を特定する情報とを、演算処理して受験者及び試験の種類を特定する手段とを備え、前記試験管理サーバは、試験管理をするサーバであって、試験コンテンツデータベースに記憶されている試験コンテンツデータを、前記試験の種類の条件に基いて、演算処理して受験端末に配信する試験コンテンツデータを抽出する試験コンテンツデータ抽出手段と、試験コンテンツデータを、ネットワークを介して受験端末に配信する前記試験コンテンツデータ配信手段と、サーバにより作成された採点コンテンツデータを受験者に提供する採点コンテンツデータ配信手段とを備え、前記採点サーバは、採点をするサーバであって、ネットワークを介して受験端末から集信した前記解答コンテンツデータを表示・再生する表示・再生手段と、ネットワークを介して受験端末から集信した音声データを含む解答コンテンツデータと、前記試験コンテンツデータの解答データとに基づいて採点処理が行われ、取得された採点結果によって採点コンテンツデータを作成する採点コンテンツデータ作成手段とを備えてもよい。この場合には、解答内容がデータとして記録され、解答内容が迅速に回収され採点される。
【００１０】
また、この発明においては、受験会場サーバ、試験管理サーバ及び採点サーバを有するサーバと、サーバにネットワークを介して接続された受験端末とを含む、オンライン試験システムであって、前記受験端末は、受験者数に応じて複数設置され且つ受験会場毎に設置された受験会場サーバに接続され、ネットワークを介して受験会場サーバから配信された問題コンテンツデータに対応して発声された解答内容を入力する発声解答内容入力手段と、前記入力した解答内容を音声データとして記録して解答コンテンツデータを作成する解答コンテンツデータ作成手段とを備え、前記受験会場サーバは、受験会場毎に設置され、ネットワークを介して、受験端末と、試験管理サーバ及び／又は採点サーバと接続され、受験会場毎に抽出された受験者の個人情報及び受験会場で実施される受験者が受験する試験を特定するための情報を記憶する手段と、受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、受験端末で作成された音声データを含む解答コンテンツデータを、ネットワークを介して受験端末から集信する解答コンテンツデータ集信手段と、前記集信した解答コンテンツデータを、ネットワークを介して採点サーバに配信する解答コンテンツデータ配信手段とを備え、前記試験管理サーバは、受験者データベースに記憶されている全受験者の氏名，住所，電子メールアドレス等の個人情報と、受験する試験の種類を特定する情報とを、演算処理して受験者及び試験の種類を特定する手段と、試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、試験コンテンツデータを、ネットワークを介して受験会場サーバに配信する試験コンテンツデータ配信手段と、採点サーバにより作成された採点コンテンツデータを受験者に提供する採点コンテンツデータ配信手段とを備え、前記採点サーバは、ネットワークを介して受験端末から集信した前記解答コンテンツデータを表示・再生する表示・再生手段と、ネットワークを介して受験端末から集信した音声データを含む解答コンテンツデータと、前記試験コンテンツデータの解答データとに基づいて採点処理が行われ、取得された採点結果によって採点コンテンツデータを作成する採点コンテンツデータ作成手段とを備えてもよい。この場合には、同一の採点基準によって迅速に採点処理が行われる。
【００１１】
また、この発明においては、受験会場サーバ、試験管理サーバ及び採点サーバを有するサーバと、サーバにネットワークを介して接続された受験端末とを含む、オンライン試験システムであって、前記受験端末は、受験者数に応じて複数設置され且つ受験会場毎に設置された受験会場サーバに接続され、ネットワークを介してサーバから配信された問題コンテンツデータに対応して解答した状況を撮像する解答状況撮像手段と、前記撮像した内容を動画データとして記録して解答コンテンツデータを作成する解答コンテンツデータ作成手段とを備え、前記サーバは、抽出された受験者の個人情報及び受験者が受験する試験を特定するための情報を記憶する手段と、受験端末から受験者により入力される受験票に記載されている情報に基いて、演算処理して受験者の認証を行うとともに、前記認証した内容に基いて、演算処理して実施される試験の種類に応じた試験コンテンツデータを抽出し、実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する試験コンテンツデータ配信手段と、受験端末で作成された動画を含む解答コンテンツデータを、ネットワークを介して受験端末から集信する解答コンテンツデータ集信手段と、前記集信した解答コンテンツデータを、ネットワークを介して採点のために配信する解答コンテンツデータ配信手段と、受験者データベースに記憶されている全受験者の氏名，住所，電子メールアドレス等の個人情報と、受験する試験の種類を特定する情報とを、演算処理して受験者及び試験の種類を特定する手段とを備え、前記試験管理サーバは、試験管理をするサーバであって、試験コンテンツデータベースに記憶されている試験コンテンツデータを、前記試験の種類の条件に基いて、演算処理して受験端末に配信する試験コンテンツデータを抽出する試験コンテンツデータ抽出手段と、試験コンテンツデータを、ネットワークを介して受験端末に配信する前記試験コンテンツデータ配信手段と、サーバにより作成された採点コンテンツデータを受験者に提供する採点コンテンツデータ配信手段とを備え、前記採点サーバは、採点をするサーバであって、ネットワークを介して受験端末から集信した前記解答コンテンツデータを表示・再生する解答コンテンツデータ表示・再生手段と、ネットワークを介して受験端末から集信した動画を含む解答コンテンツデータと、前記解答コンテンツデータの解答データとに基づいて採点処理が行なわれ、取得された採点結果によって採点コンテンツデータを作成する採点コンテンツデータ作成手段とを備えてもよい。この場合には、同一の採点基準によって迅速に採点処理が行われる。
【００１２】
この発明は、受験会場サーバと試験管理サーバと採点サーバとを有するサーバと、サーバにネットワークを介して接続された受験端末とを含む、オンライン試験システムであって、前記受験端末は、受験者数に応じて複数設置され且つ受験会場毎に設置された受験会場サーバに接続され、ネットワークを介して受験会場サーバから配信された問題コンテンツデータに対応して解答した状況を撮像する解答状況撮像手段と、前記撮像した内容を動画データとして記録して解答コンテンツデータを作成する解答コンテンツデータ作成手段とを備え、前記受験会場サーバは、受験会場毎に設置され、ネットワークを介して、受験端末と、試験管理サーバ及び／又は採点サーバと接続され、受験会場毎に抽出された受験者の個人情報及び受験会場で実施される受験者が受験する試験を特定するための情報を記憶する手段と、受験端末から受験者により入力される受験票に記載されている情報に基いて、演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、受験端末で作成された動画を含む解答コンテンツデータを、ネットワークを介して受験端末から集信する解答コンテンツデータ集信手段と、前記集信した解答コンテンツデータを、ネットワークを介して採点サーバに配信する解答コンテンツデータ配信手段とを備え、前記試験管理サーバは、受験者データベースに記憶されている全受験者の氏名，住所，電子メールアドレス等の個人情報と、受験する試験の種類を特定する情報とを、演算処理して受験者及び試験の種類を特定する手段と、試験コンテンツデータベースに記憶されている試験コンテンツデータを、前記試験の種類の条件に基いて、演算処理して受験会場サーバに配信する試験コンテンツデータを抽出する試験コンテンツデータ抽出手段と、試験コンテンツデータを、ネットワークを介して受験会場サーバに配信する試験コンテンツデータ配信手段と、採点サーバにより作成された採点コンテンツデータを受験者に提供する採点コンテンツデータ配信手段とを備え、前記採点サーバは、ネットワークを介して受験端末から集信した前記解答コンテンツデータを表示・再生する解答コンテンツデータ表示・再生手段と、ネットワークを介して受験端末から集信した動画を含む解答コンテンツデータと、前記解答コンテンツデータの解答データとに基づいて採点処理が行なわれ、取得された採点結果によって採点コンテンツデータを作成する採点コンテンツデータ作成手段とを備える、オンライン試験システムである。この場合には、口頭により解答された内容がデータとして記録され、迅速に採点処理が行われる。
【００１３】
また、この発明においては、受験会場サーバは、受験会場毎に抽出された受験者の個人情報及び受験会場で実施される受験者が受験する試験を特定するための情報を、会場用受験者データベースとして記憶する手段と、受験端末から受験者により入力される受験票に記載されている情報に基いて、前記記憶する手段により記憶された会場用受験者データを演算処理して受験者の認証を行うとともに、前記認証した内容に基いて、演算処理して受験会場で実施される試験の種類に応じた試験コンテンツデータを抽出し、受験会場で実施される試験の種類に対応し且つ各受験者が受験する試験の種類に対応した内容であって、少なくとも問題を示す文字・記号を記録したテキストデータを含む問題コンテンツデータを、ネットワークを介して受験端末に配信する問題コンテンツデータ配信手段と、受験端末で作成された解答コンテンツデータを、ネットワークを介して受験端末から集信する解答コンテンツデータ集信手段とを備えてもよい。この場合には、各受験会場サーバにより迅速に試験が行われる。
【００１４】
また、この発明においては、前記解答コンテンツデータ作成手段は、前記問題コンテンツデータ内に含まれている解答選択肢を選択・入力する入力手段と、前記入力手段により入力された内容をＯＭＲによる処理が可能な画像データとして保存する画像データ保存手段とを有し、前記採点コンテンツデータ作成手段は、前記保存された画像データから、ＯＭＲによる処理により前記入力された内容を読み取る機能と、前記読み取られ入力された内容と前記試験コンテンツデータに対応する解答データとに基づいて採点処理を行う機能とを有してもよい。この場合には、解答された内容がデータとして記録され、迅速に採点処理が行われる。
【００１５】
この発明は、前記解答コンテンツデータ作成手段は、解答を示す文字や記号等を手書きにより入力する入力手段と、前記入力手段により入力された内容をＯＣＲによる処理が可能な画像データとして保存する画像データ保存手段とを有し、前記採点コンテンツデータ作成手段は、前記保存された画像データから、ＯＣＲによる処理により前記入力された内容を読み取る機能と、前記読み取られ入力された内容と前記試験コンテンツデータに対応する解答データとに基づいて採点処理を行う機能とを有する、請求項１ないし７のいずれかに記載のオンライン試験システムである。この場合には、解答された内容がデータとして記録され、迅速に採点処理が行われる。
【００１６】
また、この発明においては、前記採点コンテンツデータ作成手段は、受験した試験に合格したことを証明する書類を印刷することができる印刷データを作成する印刷データ作成手段を含み、入力された試験管理サーバの受験者データベースを検索・抽出して、受験者のメールアドレスを検索するメールアドレス検索手段と、前記採点コンテンツデータを前記受験者の電子メールアドレスに送信する電子メールアドレス送信手段とを有してもよい。この場合には、合格したことを証明する書類を郵送することなく受験者に付与することができる。
【発明の効果】
【００１７】
本発明にかかるオンライン試験システムによれば、少ない人材で効率的に試験を実施することができ、且つ試験の採点を公平な基準で迅速に行うことができるオンライン試験システムを提供することができる。
【００１８】
この発明の上述の目的，その他の目的，特徴および利点は、図面を参照して行う以下の発明の実施の形態の詳細な説明から一層明らかとなろう。
【発明を実施するための最良の形態】
【００１９】
図１は、本発明にかかるオンライン受験システムの一実施形態を示す図解図である。以下図２乃至図１１を参照しながらオンライン受験システム１０のハードウェア構成について説明する。
【００２０】
オンライン受験システム１０は、図１に示すように、受験端末１２と受験会場サーバ４２と試験管理サーバ６２と採点サーバ８２とを含む。受験端末１２は、配信された問題コンテンツデータを閲覧・ヒアリングしながら受験者が解答コンテンツデータを作成するための端末である。受験端末１２は、図２に示すようにＣＰＵ１４を有する。ＣＰＵ１４は、受験端末１２において各種処理を行うときに演算処理を行う中央演算処理装置である。また、ＣＰＵ１４にはＲＯＭ１６が接続されている。ＲＯＭ１６は、受験端末１２起動時に実行する基本入出力処理プログラムを格納するためのメモリである。さらに、ＣＰＵ１４にはＲＡＭ１８が接続されている。ＲＡＭ１８は、ＣＰＵ１４において、各種演算処理を実行するとき使用するプログラムやデータを一時的に格納するためのメモリである。
【００２１】
ＣＰＵ１４には、ビデオキャプチャー部２０が接続されている。ビデオキャプチャー部２０は、後述するカメラ２２からのビデオ映像をデジタル化してＣＰＵ１２に入力する。ビデオキャプチャー部２０には、カメラ２２が接続されている。カメラ２２は、適宜撮像したビデオ映像をビデオキャプチャー部２０に入力する。
【００２２】
ＣＰＵ１４には、画像処理部２４が接続されている。画像処理部２４は、ＣＰＵ１４の演算処理の結果に基づいて画面表示データを生成するものである。画像処理部２４には、ディスプレイ２６が接続されている。ディスプレイ２６は、画像処理部２４で生成された画像表示データに基いて問題コンテンツデータを表示画面として表示する。
【００２３】
ＣＰＵ１４には記憶装置２８が接続されている。記憶装置２８は、ＣＰＵ１４が各種処理を実行するときに使用するプログラムやデータを記憶する。また、記憶装置２８はＣＰＵ１４が演算処理により生成したデータが記憶する。記憶装置２８に記憶されるアプリケーションとしては、図３に示すように図示しないＯＳ（operation system）の他に、受験アプリケーション２８ａが記憶されている。受験アプリケーション２８ａは、後述する受験会場サーバ４２から配信された問題コンテンツデータに含まれるテキストデータ，静止画データおよび動画データをディスプレイ２６において可視化する。また、受験アプリケーション２８ａは問題コンテンツデータに含まれる音声データや動画データに含まれる音声を後述する音声再生部３６で再生する。さらに、受験アプリケーション２８ａは受験者がカメラ２２や後述する入力装置３２等を用いて入力した解答内容に基づいて解答コンテンツデータを生成し記憶装置２８に記憶する。
【００２４】
ＣＰＵ１４には、入力部３０が接続されている。入力部３０は、後述する入力装置３２を接続するためのインターフェイスである。入力部３０は、入力装置３２から入力された各種の指示信号や各種データをＣＰＵ１４に入力する。入力部３０には、入力装置３２が接続されている。入力装置３２には、キーボード，マウス，タブレット，タッチパネルが使用される。入力装置３２は、指示信号を入力したり、受験端末１２で実施される試験の解答を入力するために使用される。
【００２５】
ＣＰＵ１４には、サウンドカード３４が接続されている。サウンドカード３４は、各種音源チップ等が搭載されており受験端末１２において音声を再生・録音する機能を提供する。サウンドカード３４には、音声再生部３６が接続されている。音声再生部３６には、スピーカやヘッドフォンが使用される。音声再生部３６は、サウンドカード３４から供給される試験問題等の音声信号を再生する。サウンドカード３４には、マイク３８が接続されている。マイク３８は、試験の解答を音声や音声付動画により行うとき、受験者が発生した音声を集音するために使用される。
【００２６】
ＣＰＵ１４には、ネットワーク接続部４０が接続される。ネットワーク接続部４０としては、ＬＡＮカード，モデムやターミナルアダプタ等が用いられネットワーク２００と接続される。
【００２７】
なお、受験端末１２は受験者数に応じて複数設置され、受験者が受験する試験に応じた内容の問題コンテンツデータが適宜配信される。上述した受験申込み端末１２は、パーソナルコンピュータ，ワークステーションに受験アプリケーション２８ａをインストールすることで同様な構成とすることが可能である。
【００２８】
受験会場サーバ４２は、ネットワーク２００に接続されている受験端末１２に、問題コンテンツデータを含む試験コンテンツデータを配信する。また、受験端末１２で作成された解答コンテンツデータを集信し採点サーバ８２に送信する。受験会場サーバ４２は、図４に示すようにＣＰＵ４４を含む。ＣＰＵ４４は、受験会場サーバ４２において各種処理を行うとき演算処理を行う中央演算処理装置である。ＣＰＵ４４には、ＲＯＭ４６が接続されている。ＲＯＭ４６は、受験会場サーバ４２の起動時に実行する基本入出力処理プログラムを格納するためのメモリである。また、ＣＰＵ４６にはＲＡＭ４８が接続されている。ＲＡＭ４８は、ＣＰＵ４４において各種演算処理を実行するとき使用するプログラムやデータを一時的に格納するためのメモリである。
【００２９】
ＣＰＵ４４には、画像処理部５０が接続されている。画像処理部５０は、ＣＰＵ４４の演算処理の結果に基づいて画面表示データを生成するものである。画像処理部５０には、ディスプレイ５２が接続されている。ディスプレイ５２は、画像処理部５０で生成された画像表示データに基いて画面を表示する。なお、受験会場サーバ４２における処理過程をモニタする必要がない場合には、ディスプレイ５２が接続される必要はない。
【００３０】
ＣＰＵ４４には記憶装置５４が接続されている。記憶装置５４は、ＣＰＵ４４が各種処理を実行するときに使用するプログラムやデータを記憶する。また、記憶装置５４はＣＰＵ４４が演算処理により生成したデータが記憶する。記憶装置５４に記憶されるアプリケーションとしては、図５に示すように図示しないＯＳの他に、試験処理アプリケーション５４ａと会場用受験者データベース５４ｂと試験コンテンツデータ５４ｃが記憶されている。
【００３１】
試験処理アプリケーション５４ａは、受験端末１２から受験者により入力される受験票に記載されている情報に基いて受験者の認証を行う。また、認証した内容に基いて受験端末１２に試験コンテンツデータ５４ｃを配信する。さらに、試験時間が終了した時点に受験端末１２から解答コンテンツデータを集信し採点サーバ８２に送信する。
【００３２】
会場用受験者データベース５４ｂは、図６に示すように後述する試験管理サーバ６２に記憶されている受験者データベース７４ａから受験会場毎に抽出された受験者の氏名，住所，電子メールアドレス等の個人情報および受験者が受験する試験を特定するための情報が記憶されている。なお、会場用受験者データベース５４ｂの情報は試験処理アプリケーション５４ａが受験者の認証を行うときに参照される。
【００３３】
試験コンテンツデータ５４ｃは、後述する試験管理サーバ６２に記憶されている試験コンテンツデータベース７４ｂから試験の種類毎に抽出された問題コンテンツデータを含む。なお、試験コンテンツデータ５４ｃは受験会場で実施される試験の種類に応じた内容の試験コンテンツデータ５４ｃが複数試験管理サーバ６２から配信される。試験コンテンツデータ５４ｃに含まれるデータとしては、問題を示す文字・記号を記録したテキストデータや、試験官が問題を発声した音声を記録した音声データやビデオ信号から作成された動画データが含まれる。
【００３４】
ＣＰＵ４４には、入力部５６が接続されている。入力部５６は、後述する入力装置５８を接続するためのインターフェイスである。入力部５６は、入力装置５８から入力された各種の指示信号や各種データをＣＰＵ４４に入力する。入力部５６には、入力装置５８が接続されている。入力装置５８には、キーボード，マウス等が使用される。なお、受験会場サーバ４２において各種のデータ入力処理等を行わない場合には、入力装置５８は入力部５６に接続される必要はない。
【００３５】
ＣＰＵ４４には、ネットワーク接続部６０が接続されている。ネットワーク接続部６０としては、モデム，ターミナルアダプタやＬＡＮカード等が用いられネットワーク２００と接続される。
【００３６】
なお、受験会場サーバ４２は受験会場毎に設置される。上述した受験会場サーバ４２は、ワークステーション，サーバに試験処理アプリケーション５４ａをインストールして受験用データベース５４ｂを記憶させることで同様な構成とすることが可能である。
【００３７】
試験管理サーバ６２は，ネットワーク２００に接続されている受験会場サーバ４２に試験コンテンツデータを配信し、採点サーバにより作成された採点コンテンツデータを各種のデータとして受験者に提供する。試験管理サーバ６２は、図７に示すようにＣＰＵ６４を含む。ＣＰＵ６４は、試験管理サーバ６２において各種処理を行うとき演算処理を行う中央演算処理装置である。ＣＰＵ６４には、ＲＯＭ６６が接続されている。ＲＯＭ６６は、試験管理サーバ６２の起動時に実行する基本入出力処理プログラムを格納するためのメモリである。また、ＣＰＵ６６にはＲＡＭ６８が接続されている。ＲＡＭ６８は、ＣＰＵ６４において各種演算処理を実行するとき使用するプログラムやデータを一時的に格納するためのメモリである。
【００３８】
ＣＰＵ６４には、画像処理部７０が接続されている。画像処理部７０は、ＣＰＵ６４の演算処理の結果に基づいて画面表示データを生成するものである。画像処理部７０には、ディスプレイ７２が接続されている。ディスプレイ７２は、画像処理部７０で生成された画像表示データに基いて画面を表示する。なお、試験管理サーバ６２における処理過程をモニタする必要がない場合には、ディスプレイ７２が接続される必要はない。
【００３９】
ＣＰＵ６４には記憶装置７４が接続されている。記憶装置７４は、ＣＰＵ６４が各種処理を実行するときに使用するプログラムやデータを記憶する。また、記憶装置７４はＣＰＵ６４が演算処理により生成したデータが記憶する。記憶装置７４に記憶されるアプリケーションとしては、図８に示すように図示しないＯＳの他に、受験者データベース７４ａ，試験コンテンツデータベース７４ｂ，ＷＷＷサーバアプリケーション７４ｃ，電子メールサーバアプリケーション７４ｄおよび解答データ７４ｅが記憶されている。
【００４０】
受験者データベース７４ａは、図９に示すように全受験者の氏名，住所，電子メールアドレス等の個人情報と受験する試験の種類を特定する情報が記録されている。なお、受験者データベース７４ａは、受験申込み書類に記載された内容に基いて試験実施者により入力されるか、ＷＷＷサーバアプリケーション７４ｃ等を介して受験者自身により入力される。
【００４１】
試験コンテンツデータベース７４ｂは、複数の試験コンテンツデータ５４ｃをデータとして記録している。試験コンテンツデータベース７４ｂを有する試験管理サーバ６２において、記憶されている試験コンテンツデータ５４ｃを試験の種類の条件に基いて受験会場サーバ４２に配信する試験コンテンツデータを抽出する。
【００４２】
ＷＷＷサーバアプリケーション７４ｃは、主として採点サーバ８２により作成された採点コンテンツデータを用いて試験結果発表をインターネット上で行うために用いられる。また、ＷＷＷサーバアプリケーション７４ｃは、受験者データベース７４ａをＣＧＩ（common gateway interface）アプリケーションとして適用することで受験手続を行うためのインターフェイスを提供する。
【００４３】
電子メールサーバアプリケーション７４ｄは、採点サーバ８２により作成された採点コンテンツデータを用いて直接受験者に試験結果の通知を行うメールを送信するために用いられる。なお、受験者の電子メールアドレスは、受験者データベース７４ａから適宜抽出される。
【００４４】
解答データ７４ｅは、試験コンテンツデータ５４ｃに対応した解答内容を示すデータである。解答データ７４ｅには、ＯＭＲによる処理やＯＣＲによる処理に使用されるデータが含まれており、適宜採点サーバ８２に配信される。
【００４５】
ＣＰＵ６４には、入力部７６が接続されている。入力部７６は、後述する入力装置７８を接続するためのインターフェイスである。入力部７６は、入力装置７８から入力された各種の指示信号や各種データをＣＰＵ６４に入力する。入力部７６には、入力装置７８が接続されている。入力装置７８には、キーボード，マウス等が使用される。
【００４６】
ＣＰＵ６４には、ネットワーク接続部８０が接続されている。ネットワーク接続部８０としては、モデム，ターミナルアダプタやＬＡＮカード等が用いられネットワーク２００と接続される。
【００４７】
採点サーバ８２は、ネットワーク２００に接続されている受験会場サーバ４２から解答コンテンツデータを集信し、採点処理を行い採点コンテンツデータを作成する。採点サーバ８２は、図１０に示すようにＣＰＵ８４を含む。ＣＰＵ８４は、採点サーバ８２において各種処理を行うとき演算処理を行う中央演算処理装置である。ＣＰＵ８４には、ＲＯＭ８６が接続されている。ＲＯＭ８６は、採点サーバ８２起動時に実行する基本入出力処理プログラムを格納するためのメモリである。また、ＣＰＵ８６にはＲＡＭ８８が接続されている。ＲＡＭ８８は、ＣＰＵ８４において各種演算処理を実行するとき使用するプログラムやデータを一時的に格納するためのメモリである。
【００４８】
ＣＰＵ８４には、画像処理部９０が接続されている。画像処理部９０は、ＣＰＵ８４の演算処理の結果に基づいて画面表示データを生成するものである。画像処理部９０には、ディスプレイ９２が接続されている。ディスプレイ９２は、画像処理部９０で生成された画像表示データに基いて画面を表示する。
【００４９】
ＣＰＵ８４には、記憶装置９４が接続されている。記憶装置９４は、ＣＰＵ８４が各種処理を実行するときに使用するプログラムやデータを記憶する。具体的に記憶装置９４に記憶されるものとしては、図１１に示すようにＯＳ(operation system)の他、ＯＭＲ処理アプリケーション９４ａ，ＯＣＲ処理アプリケーション９４ｂ，解答コンテンツデータ再生アプリケーション９４ｃおよび解答データ７４ｅが記憶されている。
【００５０】
ＯＭＲ処理アプリケーション９４ａとＯＣＲ処理アプリケーション９４ｂとは、試験管理サーバ６２から配信された解答データ７４ｅに基いて、解答コンテンツデータに含まれる画像データをＯＭＲ処理またはＯＣＲ処理をすることで採点処理を行い、採点コンテンツデータを作成する。
【００５１】
解答コンテンツデータ再生アプリケーション９４ｃは、解答コンテンツデータに含まれる音声データおよび動画データを再生する機能を有する。解答コンテンツデータ再生アプリケーション９４ｃは、採点者が解答コンテンツデータに記録されている受験者の音声や動画に基いて採点を行うときに使用される。また、解答コンテンツデータ再生アプリケーション９４ｃは採点者が採点した結果を解答コンテンツデータ再生アプリケーション９４ｃに入力することで採点コンテンツデータを作成する機能を有する。採点コンテンツデータとしては、ＷＷＷサーバや電子メールで配信可能なデータが作成される。
【００５２】
ＣＰＵ８４には、入力部９６が接続されている。入力部９６は、後述する入力装置９８を接続するためのインターフェイスである。入力部９６は、入力装置９８から入力された各種の指示信号や各種データをＣＰＵ８４に入力する。入力部９６には、入力装置９８が接続されている。入力装置９８には、キーボード，マウス等が使用される。
【００５３】
ＣＰＵ８４には、サウンドカード１００が接続されている。サウンドカード１００は、各種音源チップ等が搭載されており採点サーバ８２において音声を再生・録音する機能を提供する。サウンドカード１００には、音声再生部１０２が接続されている。音声再生部１０２には、スピーカやヘッドフォンが使用される。音声再生部１０２は、サウンドカード１００から供給される解答コンテンツデータに含まれるの音声信号を再生する。
【００５４】
ＣＰＵ８４には、ネットワーク接続部１０４が接続されている。ネットワーク接続部１０４としては、モデム，ターミナルアダプタやＬＡＮカード等が用いられネットワーク２００と接続される。
【００５５】
引き続いて、オンライン受験システム１０の動作について説明する。なお、図１２は、オンライン受験システムの動作を示すフローチャート図である。
【００５６】
まず、試験実施時間までに試験管理サーバ６２から受験会場サーバ４２へ会場用受験者データベース５４ｂと試験コンテンツデータ５４ｃとがネットワーク２００を介して配信される（ステップＳ１）。なお、会場用受験者データベース５４ｂと試験コンテンツデータ５４ｃとの配信は手動または自動により行われる。
【００５７】
そして、受験端末１２において受験者により受験票に記載されている情報が入力され、受験会場サーバ４２の試験処理アプリケーション５４ａにより受験者の認証が行われる（ステップＳ２）。なお、認証が正確に行われた場合には、会場用受験者データベース５４ｂに基いて受験者の受験する試験が特定される。
【００５８】
認証が行われた後、各受験端末１２には受験者が受験する試験に応じた試験コンテンツデータ５４ｃが配信される（ステップＳ３）。
【００５９】
試験コンテンツデータ５４ｃが配信された受験端末１２では、試験コンテンツデータ５４ｃの内容が受験アプリケーション２８ａにより画面表示，音声再生または動画再生されて試験が開始される。受験者は画面表示，音声再生または動画再生された内容に対する解答を受験アプリケーション２８ａに入力して解答コンテンツデータを作成する（ステップＳ４）。
【００６０】
なお、解答コンテンツデータの作成は、試験形式がマーク式や選択式の場合には、図１３に示すようにディスプレイ２６内に表示された文字や記号を入力装置３２により選択して入力することにより解答コンテンツデータの作成が行われる。
【００６１】
また、試験形式が記述式の場合には、図１４に示すようにディスプレイ２６内に表示された手書入力欄にタブレット等の入力装置３２を用いて手書き文字，記号を入力することで解答コンテンツデータの作成が行われる。
【００６２】
さらに、試験形式が論述（口頭）式の場合には、受験者が口頭により解答を答えて音声をマイク３８に入力することで解答コンテンツデータの作成が行われる。
【００６３】
またさらに、試験形式が論述式の場合には、マイク３８に音声を入力すると共にカメラ２２を使用して動画データを記録して解答コンテンツデータを作成してもよい。これにより、受験者の話し方や表情も採点処理を行うとき参考にすることができる。
【００６４】
試験時間が終了した時点で、各受験端末１２から受験会場サーバ４２へ解答コンテンツデータが集信される。さらに、受験会場サーバ４２に集信された解答コンテンツデータは、受験会場サーバ４２から採点サーバ８２へ集信される（ステップＳ５）。
【００６５】
採点サーバ８２に集信された解答コンテンツデータは、解答コンテンツデータがＯＭＲ用の画像データにより作成されている場合には、ＯＭＲ処理アプリケーション９４ａにより解答データ７４ｅに基づいて採点処理が行われる。解答コンテンツデータがＯＣＲ用の画像データにより作成されている場合には、ＯＣＲ処理アプリケーション９４ｂにより解答データ７４ｅに基づいて採点処理が行われる。また、解答コンテンツデータが音声データや動画データにより作成されている場合には、解答コンテンツデータ再生アプリケーション９４ｃを使用してデータの内容が再生され採点者により採点処理が行われる（ステップＳ６）。
【００６６】
ＯＭＲ処理アプリケーション９４ａおよびＯＣＲ処理アプリケーション９４ｂにより採点処理が行われた場合には、ＯＭＲ処理アプリケーション９４ａおよびＯＣＲ処理アプリケーション９４ｂにより自動的に採点コンテンツデータが生成される。また、解答コンテンツデータ再生アプリケーション９４ｃを使用して採点者により採点処理が行われた場合には、採点者により採点結果が解答コンテンツデータ再生アプリケーション９４ｃに入力された時点で採点コンテンツデータが作成される（ステップＳ７）。
【００６７】
ＯＭＲ処理アプリケーション９４ａ，ＯＣＲ処理アプリケーション９４ｂおよび解答コンテンツデータ再生アプリケーション９４ｃにより作成される採点コンテンツデータとして、ＷＷＷサーバアプリケーション７４ｃにより受験者に閲覧可能なＨＴＭＬデータ等や、電子メールサーバアプリケーション７４ｄに電子メールとして受験者に配信されるテキストデータや受験した試験に合格したことを証明する書類を印刷することができる印刷データが作成される。
【００６８】
作成された採点コンテンツデータは、そのデータの種類に応じて適宜採点サーバ８２のＷＷＷサーバアプリケーション７４ｃおよび電子メールサーバアプリケーション７４ｄに送信される（ステップＳ８）。
【００６９】
採点コンテンツデータを受信したＷＷＷサーバアプリケーション７４ｃは、受験者に閲覧可能のデータ領域に記憶して試験結果がホームページとして公開する。電子メールサーバアプリケーション７４ｄは、受信した採点コンテンツデータを適宜受験者の電子メールアドレスに向けて発信する（ステップＳ９）。なお、受験者の電子メールアドレスは、適宜電子メールサーバアプリケーション７４ｄにより受験者データベース７４ａの内容が検索・抽出される。
【００７０】
このように、本発明にかかるオンライン試験システムによれば、迅速に試験の解答結果を回収することができ、かつ迅速に採点処理を行うことができる。また、採点結果はＷＷＷサーバアプリケーション７４ｃや電子メールサーバアプリケーション７４ｄによりホームページや電子メールとして迅速に配信される。さらに、論述試験を行う場合にも各受験会場に試験官を派遣することなく、同時に複数の会場で複数の受験者に対して試験を実施することができる。
【００７１】
なお、この実施形態においは、採点コンテンツデータを提供するＷＷＷサーバおよび電子メールサーバを１台の試験管理サーバ６２により構築していたが、これに限らず、複数台のサーバによりＷＷＷサーバおよび電子メールサーバを構築してもよい。
【００７２】
また、この実施形態においては、ＯＭＲによる処理によってなされる採点，ＯＣＲによる処理によってなされる採点および解答コンテンツデータ再生アプリケーション９４ｃにより音声データ，動画データを再生して行う採点を１台の採点サーバ８２により処理したが、これに限られず、複数台の採点サーバを設置してもよく、またそれぞれの採点サーバがＯＭＲによる処理によってなされる採点，ＯＣＲによる処理によってなされる採点および解答コンテンツデータ再生アプリケーション９４ｃにより音声データ，動画データを再生して行う採点のいずれかを専門に処理するように構成してもよい。
【００７３】
さらに、この実施形態においては、解答コンテンツデータにＯＭＲによる処理により採点処理可能な画像データ，ＯＣＲによる処理により採点処理可能な画像データ，再生処理により採点処理可能な音声データ，動画データのいずれかの単一の種類のデータを含むように構成したが、これに限らずこれらのデータを複数混在する解答コンテンツデータを作成するように構成してもよい。この場合には、適宜データの内容に基づいて解答コンテンツデータが分割され、採点処理するアプリケーション等に配信され、それぞれの採点コンテンツデータを合成することにより採点コンテンツデータが作成される。
【図面の簡単な説明】
【００７４】
【図１】本発明にかかるオンライン受験システムの一実施形態を示す図解図である。
【図２】受験端末を示すブロック図である。
【図３】記憶装置に記憶されている受験アプリケーションを示す図解図である。
【図４】受験会場サーバを示すブロック図である。
【図５】記憶装置に記憶されている各種アプリケーション等を示す図解図である。
【図６】会場用受験者データベースの内容を示す図解図である。
【図７】試験管理サーバを示すブロック図である。
【図８】記憶装置に記憶されている各種アプリケーション等を示す図解図である。
【図９】受験者データベースの内容を示す図解図である。
【図１０】採点サーバを示すブロック図である。
【図１１】記憶装置に記憶されている各種アプリケーション等を示す図解図である。
【図１２】オンライン受験システムの動作を示すフローチャート図である。
【図１３】解答状況を示す図解図である。
【図１４】解答状況を示す他の図解図である。
【符号の説明】
【００７５】
１０  オンライン試験システム
１２  受験端末
４２  受験会場サーバ
６２  試験管理サーバ
８２  採点サーバ
２００  ネットワーク
【図１】
2006252585.tif 000003
【図２】
2006252585.tif 000004
【図３】
2006252585.tif 000005
【図４】
2006252585.tif 000006
【図５】
2006252585.tif 000007
【図６】
2006252585.tif 000008
【図７】
2006252585.tif 000009
【図８】
2006252585.tif 000010
【図９】
2006252585.tif 000011
【図１０】
2006252585.tif 000012
【図１１】
2006252585.tif 000013
【図１２】
2006252585.tif 000014
【図１３】
2006252585.tif 000015
【図１４】
2006252585.tif 000016